(57)【要約】【課題】  容器状の本体が堅牢でかつ耐火性，断熱性，防犯性，耐震性に優れ、しかも収容物の損傷防止並びに事故による負傷防止効果のある地下埋設収納庫を提供すること。【解決手段】  容器状の本体１をプレキャストコンクリートにより形成すると共に、本体１の内部の少なくとも底面にゴム製内装材７を添着したことを特徴とする。【選択図】        図１
2005264689.tif 000002
【特許請求の範囲】
【請求項１】
容器状の本体（１）と、入口枠材（２）と、この入口枠材（２）内に嵌合する蓋枠材（４）付き蓋板（６）とからなる地下埋設収納庫であって、本体（１）をプレキャストコンクリートにより形成すると共に、本体（１）の内部の少なくとも底面にゴム製内装材（７）を添着したことを特徴とする地下埋設収納庫。
【請求項２】
ゴム製内装材（７）としてゴム廃棄物チップをバインダにより固化した板材を採択した請求項１に記載の地下埋設収納庫。
【請求項３】
金属製盆状の蓋枠材（４）に耐火性充填材（５）を充填し、かつ蓋枠材（４）の端部寄りにバヨネット係合孔（１３）を設けるほか、先端にバヨネット係合孔（１３）に係合する係合突起（１４）がある開閉用ハンドル（１５）を設けてバヨネット係合型の蓋開閉機構を構成し、更に蓋枠材（４）の左右後端寄りにスライダ（１０）を設けると共に、入口枠材（２）の内側の左右両側には蓋枠材（４）のスライダ（１０）をスライドさせるための傾斜付レール（９）を設けた請求項１または請求項２に記載の地下埋設収納庫。
【発明の詳細な説明】
【技術分野】
【０００１】  本発明は、強固，耐火，防犯，耐震，緩衝等の機能を備えて、収容物保護並びに負傷防止効果のある地下埋設収納庫の構造に関するものである。
【背景技術】
【０００２】  従来普通の床下収納庫としては、プラスチックを主材とした容器と、入口枠材と、蓋枠材に木製もしくはプラスチック製の化粧板を嵌合してこれに開閉用手掛けを付設した蓋板とから構成され、室内の床面から床下に設置している。
【発明の開示】
【発明が解決しようとする課題】
【０００３】  従来の床下収納庫は、容器自体の強度が比較的低く、かつ耐火性，断熱性，防犯性，耐震性が不充分である。そこで本発明の目的は、容器本体が堅牢でかつ耐火性，断熱性，防犯性，耐震性に優れた地下埋設収納庫を提供することにあり、また他の目的は、収容物の損傷防止並びに事故による負傷防止効果のある地下埋設収納庫を提供することにある。
【課題を解決するための手段】
【０００４】  上記目的を達成するため、請求項１の発明は、容器状の本体をプレキャストコンクリートにより形成し、かつ本体の内部の少なくとも底面にゴム製内装材を添設した地下埋設収納庫であり、請求項２の発明は、緩衝用のゴム製内装材としてゴム廃棄物チップをバインダにより固化した板材を採択した請求項１に記載の地下埋設収納庫である。【０００５】  請求項３の発明は、金属製盆状の蓋枠材に耐火性ブロックあるいはコンクリートを充填し、かつ別に蓋枠材の端部寄りにバヨネット係合孔を設けると共に、バヨネット係合孔に係合する開閉用ハンドルを設けてバヨネット係合型の蓋開閉機構を構成し、更に蓋枠材の左右にスライダを設けるほか、入口枠材の内側両側にはスライダをスライドさせるための傾斜付レールを設けた請求項１または請求項２に記載の地下埋設収納庫である。
【発明の効果】
【０００６】  請求項１の発明によれば、容器状の本体をプレキャストコンクリートにより形成したから、現場打ち施工に比較して設置が著しく簡単，容易である。かつ堅牢で耐火性に優れ、地下埋設と相俟って地震，火災等により損傷を受けることがなく、更にコンクリートの断熱性により環境温度の変化による収納物への影響を軽減することができ、しかも本体内面に緩衝用のゴム製内装材を添設したから、幼児等が誤って転落した場合においても、負傷を防止あるいは軽減することができる。また収容物を落下させた場合においては、落下物の損傷を防止することができるほか、防滑性により収容物の遊動を防止して安定的に収納することができ、破損し易い物品例えばワイン等のビン類の収納に好適であり、更に設置場所が屋内であれば金庫の収納にも適応する。【０００７】  請求項２の発明によれば、本体内面に添設する緩衝用のゴム製内装材として、ゴム廃棄物チップをバインダにより固化した板材を採択したことにより、リサイクルによる産業廃棄物を減量するばかりでなく、この内装材は透水性を有するから液状物をこぼした場合でも、液状物は内装材自体を透過し、隣接収容物の汚損を防止することができる。【０００８】  請求項３の発明によれば、金属製盆状の蓋枠材に耐火性充填物を充填すると共に、バヨネット係合型の蓋開閉機構を付設し、更に入口枠材と蓋枠材とに傾斜型スライド機構を付設したから、蓋板が大重量であることと、専用開閉具によらなければ開閉が困難であることとが相俟って、防犯性を向上することができ、なお、所有者が開閉する場合は、開閉用ハンドルの使用によるスライド操作により容易に開閉することができる。【０００９】  また、請求項３の発明によれば、金属製盆状の蓋枠材に耐火性充填物を充填したから、収納庫全体が著しく強固かつ耐火性に優れ、従って火災にも充分に対応するほか、車両載荷並びに地震時に破壊されることがなく、物置，車庫等の屋内に設置する以外に、カーポート，テラス，自転車置場等への設置にも好適である。
【発明を実施するための最良の形態】
【００１０】  以下、本発明を図示の実施形態について詳細に説明するが、適用対象としての地下埋設収納庫としては、例えば図１および図６に示すように、容器状の本体１と、入口枠材２と、この入口枠材２内に嵌合する蓋枠材４付き蓋板６とからなる型式を採択する。【００１１】  図１の実施形態は、ほぼ直方体形容器状の本体１を厚みが１００ｍｍ程度のプレキャスト鉄筋コンクリートにより形成すると共に、本体１の上端には２個の角形入口が並設された金属製入口枠材２をアンカーボルト３により固定するほか、入口枠材２内に嵌合する２個の金属製盆状の蓋枠材４を設け、この蓋枠材４の盆状内部にコンクリートブロックあるいは煉瓦あるいはタイル等の耐火性充填物５を充填して蓋板６を形成し、更に本体１の内部には、底面に厚さが２０〜３０ｍｍ程度のゴム製内装材７を接着等の手段のもとに添着すると共に、周側面に厚さが数ｍｍ程度のゴム製内装材７を接着等の手段のもとに添着する。ゴム製内装材７は緩衝機能により収納物の損傷を防止するほか、化粧板としての機能を発揮して庫内の装飾に役立つ。【００１２】  前記ゴム製内装材７としては、ゴム廃棄物チップをバインダにより固化した板材を採択するのがよく、例えばタイヤ，チューブ，成形品，手袋，ベルト，裁断端材等を１０ｍｍ以下または５ｍｍ以下の適宜粒度に切断または破砕によりチップ化し、これをバインダと混練した後、プレス機を使用して加圧成形し、透水性のある高弾性の成形板材を得ることができ、コストの低下並びにリサイクルによるゴム廃棄物の減量に役立つ。【００１３】  本体１および蓋板６の厚さについては、本体１の大きさにより異なるが、８０〜１５０ｍｍが適当で、厚いほど強度および断熱性が確保される。なお、本体１の底壁には栓付排水孔８を設けるのが望ましく、ドレン抜きあるいは清掃等の必要に応じ栓を外して使用すればよい。また、本体１の上部を地面よりも高く設置する場合においては、側壁の上端寄りに一対の通気孔（図示せず）を設けると共に、この通気孔にシャッタを付設するのが望ましく、必要に応じシャッタを開閉して庫内の換気をすることができる。【００１４】  入口枠材２の各入口には、両内側部に手前に漸次上昇する傾斜状のレール９を設けると共に、これに対し蓋枠材４の両側後端寄りには、前記レール９に対応してスライドするスライダ１０を突設し、かつ入口枠材２の内縁には上向き突縁１１を形成するほか、この突縁１１に逆Ｕ字状のパッキング１２を冠設し、蓋板６を閉じた場合蓋枠材４の下面が密着するようにする。【００１５】  蓋板６の開閉機構としては、図４に詳示するように、蓋枠材４の前端寄り即ちスライダ１０とは反対側における左右両隅角部の板状部にΦ字状の係合孔１３を形成すると共に、この係合孔１３に対応する断面がΦ字状の係合突起１４を先端に形成した開閉用ハンドル１５を設け、開閉用ハンドル１５をその係合突起１４が蓋枠材３の係合孔１３に挿入された状態のもとに９０°回転することにより、係合突起１４を係合孔１３に掛止状態に係合するようにし、これによりバヨネット係合型の蓋開閉機構を構成する。【００１６】  蓋板６の開閉に当たっては、図４のような閉じた状態において、開閉用ハンドル１５をその先端における���合突起１４が蓋枠材３の係合孔１３に係合する状態に挿入した後、開閉用ハンドル１５を９０°旋回させて掛け止め状態のもとに、適度に持ち上げたまま、手前に引き出すことにより、図５のようにスライダ１０を傾斜状のレール９にスライドさせつつ開蓋するようにし、蓋板６を閉じる場合は、開閉用ハンドル１５を僅かに持ち上げた状態で前方へ押しやることにより、スライダ１０を傾斜状のレール９にスライドさせつつ容易に閉じることができ、蓋板６の裏面は入口枠材２のパッキング１２に圧接して密閉状態に閉塞される。なお開閉用ハンドル１５はこれを９０°戻回させて掛け止めを解除することにより容易に取り外すことができる。【００１７】  金庫を収納する場合には、本体１内に金庫を静置したまま、本体１と金庫との間隙に砂等の充填物を充填した後、砂の表面に石膏を上塗りするのが望ましく、これにより金庫自体を取出すことが困難となり、防犯性が向上する。なお、金庫のメンテナンスあるいは交換に当たっては、多少の時間および労力が必要であるが行うことができる。【００１８】  本体１は図６のようにほぼ立方体でもよく、また上下二つ割型に構成して結合してもよい。上下二つ割型に構成すると、それら各ブロックの高さを選択的に組み合わせ結合することにより、本体１の深さを任意に調整することができ便利である。本体１を人が出入可能な程度に大型に製作する場合には、図７のように、上下二つ割型を採択し、上ブロックの頂壁に開口部を開設してその開口部周縁に入口枠材（図示せず）を固定するようにするほか、開口部に近い側壁内面に足掛金具（図示せず）を付設するのがよい。
【図面の簡単な説明】
【００１９】
【図１】  本発明の一実施形態を示す地下埋設収納庫の部分的破断斜面図である。
【図２】  図１の地下埋設収納庫の部分的縦断背面図である。
【図３】  図１の地下埋設収納庫の要部の平面図である。
【図４】  蓋板の開閉機構を示す斜面図である。
【図５】  蓋板の開閉する過程を示す縦断側面図である。
【図６】  他の実施形態を示す部分的破断斜面図である。
【図７】  更に他の実施形態の本体だけを示す部分的破断斜面図である。
【符号の説明】
【００２０】  １  本体
２  入口枠材
４  蓋枠材
５  耐火性充填材
６  蓋板
７  内装材
９  傾斜付レール
１０  スライダ
１３  バヨネット係合孔
１４  係合突起
１５  開閉用ハンドル
【図１】
2005264689.tif 000003
【図２】
2005264689.tif 000004
【図３】
2005264689.tif 000005
【図４】
2005264689.tif 000006
【図５】
2005264689.tif 000007
【図６】
2005264689.tif 000008
【図７】
2005264689.tif 000009